(57)【要約】【目的】基板に対する固着強度を高めて、振動特性特に周波数温度特性を良好に維持した、導電性接着剤による水晶振動子の固着構造を提供する。【構成】励振電極から引出電極の延出した水晶片の外周部を導電性接着剤によって基板上に固着してなる水晶振動子の固着構造において、前記導電性接着剤は前記基板に設けられた穴に充填されて表面上に突出した構成とする。また、導電性接着剤は前記水晶片の下面に塗布された下塗用と前記水晶片の上面に塗布された上塗用接着剤からなる。【選択図】図１
2005223755.tif 000002
【特許請求の範囲】
【請求項１】
励振電極から引出電極の延出した水晶片の外周部を導電性接着剤によって基板上に固着してなる水晶振動子の固着構造において、前記導電性接着剤は前記基板に設けられた穴に充填されて表面上に突出したことを特徴とする導電性接着剤による水晶振動子の固着構造。
【請求項２】
前記導電性接着剤は前記水晶片の下面に塗布された下塗り用と前記水晶片の上面に塗布された上塗り用とからなり、前記下塗り用の導電性接着剤を前記穴に充填して表面上に突出した請求項１の導電性接着剤による水晶振動子の固着構造。
【発明の詳細な説明】
【技術分野】
【０００１】
本発明は表面実装用の水晶振動子（以下、表面実装振動子とする）を技術分野とし、特に導電性接着剤による水晶振動子（水晶片）の固着構造に関する。
【背景技術】
【０００２】
（発明の背景）表面実装振動子は小型・軽量であることから、特に携帯型とした電子機器の発振器等に周波数や時間の基準源として組み込まれる。近年では、小型化のさらなる進行に伴い、導電性接着剤の塗布による弊害が顕在化している。
【０００３】
（従来技術の一例）第２図は一従来例を説明する図で、同図（ａ）は表面実装振動子の断面図、同図（ｂ）はカバーを除く一部平面図である。
【０００４】
表面実装振動子は凹状とした容器本体１内に水晶片２を収容してカバー３を被せ、密閉封入してなる。容器本体１は積層セラミックからなり、凹部内底面の一端部両側に水晶端子４を有する。水晶端子４は図示しない外表面の実装端子に接続する。水晶片２は例えばＡＴカットとし、両主面に励振電極５を有して一端部両側に引出電極６を延出する。引出電極６はそれぞれ反対面に折り返して形成される。
【０００５】
このようなものでは、先ず、水晶端子４上に塗布された下塗り用の導電性接着剤（以下、下塗用接着剤とする）７上に引出電極６の延出した水晶片２の一端部両側を載置する。この場合、水晶片２の一端部両側の角部を下塗用接着剤７ａの概ね中心に位置させ、下塗用接着剤７ａを角部から突出させる。
【０００６】
なお、符号８は水晶片２の他端部を載置する枕で、下塗用及び上塗用接着剤７（ａｂ）で固着する際に他端部を浮かせて内底面との間にギャップを設けるものである。
【０００７】
次に、上塗り用の導電性接着剤（以下、上塗用接着剤とする）７ｂを水晶片２の角部及び下塗用接着剤７ａ上に塗布する。上塗用接着剤７ｂは下塗用接着剤７ａよりも少なく、概ね同心円状に塗布される。最後に、下塗及び上塗用接着剤７（ａｂ）を一体的に加熱硬化して、水晶端子４の形成された凹部底面に水晶片２を固着する。
【特許文献１】特開２０００−９１７７３号公報
【発明の開示】
【発明が解決しようとする課題】
【０００８】
（従来技術の問題点）しかしながら、上記構成の水晶振動子では、小型化に伴う次の問題があった。すなわち、小型化が進行すると、容器本体１における凹部底面の面積及び水晶片２の外形寸法、並びに容器本体１の内壁と水晶片２との間隙も小さくなる。したがって、下塗用接着剤７ａの塗布面積も小さくなって、凹部底面に対する下塗用接着剤７ａの固着強度が低下する。
【０００９】
また、下塗用及び上塗用接着剤７（ａｂ）の塗布量（面積）が少ないほど、ばらつきが大きくなる。そして、水晶片２への塗布量が少ない場合には、水晶片２に対する固着強度を小さくする。塗布量が多い場合には、水晶片２の中央部領域に接近して振動特性を悪化させる。
【００１０】
特に、下塗用接着剤７ａが少ない場合には、上塗用接着剤７ｂを引っ張り込む（引き込む）力が小さくなる。そして、上塗用接着剤７ｂが水晶片２の稜線部上を流出して、側面及び底面に回り込む。この場合、保持系に起因した周波数温度特性を悪化させる。
【００１１】
周波数温度特性は第３図に示したように常温（約２５℃）に変曲点を有する三次曲線「同図曲線（イ）」となり、高低温側を悪化させる「同図曲線（ロ）」。これらの問題は、小型化に伴っての水晶片２の外形寸法が小さくなるほど顕著になる。
【００１２】
なお、特許文献１では例えば突堤を設けて導電性接着剤の流出を防止しているが、導電性接着剤の塗布面積を大きくして容器内底面に対する固着強度を高める点については全く示されていない。
【００１３】
（発明の目的）本発明は基板に対する固着強度を高めて、振動特性特に周波数温度特性を良好に維持した、導電性接着剤による水晶振動子の固着構造を提供する。
【課題を解決するための手段】
【００１４】
本発明は、特許請求の範囲（請求項１）に示したように、励振電極から引出電極の延出した水晶片の外周部を導電性接着剤によって基板上に固着してなる水晶振動子の固着構造において、前記導電性接着剤は前記基板に設けられた穴に充填されて表面上に突出した構成とする。
【００１５】
同請求項２では、前記導電性接着剤は前記水晶片の下面に塗布された下塗り用と前記水晶片の上面に塗布された上塗り用とからなり、前記下塗り用の導電性接着剤を前記穴に充填して表面上に突出する。
【発明の効果】
【００１６】
本発明（請求項１）では基板に設けた穴に下塗用接着剤を充填するので、小型化が進行しても基板に対する導電性接着剤の固着強度を高める。勿論、位置決め精度を高めてバラツキを小さくする。
【００１７】
同請求項２では、基板の穴によって下塗用接着剤の面積を確保するので、上塗用接着剤の吸い込みを確実にする。したがって、振動特性特に周波数温度特性を良好に維持する。
【実施例】
【００１８】
第１図は本発明の一実施例を説明する図で、同図（ａ）は表面実装振動子の断面図、同図（ｂ）は一部拡大断面図である。なお、前従来例と同一部分には同番号を付与してその説明は簡略又は省略する。
【００１９】
表面実装振動子は、前述のように容器本体１における凹部内底面の一端部両側に下塗及び上塗用接着剤７（ａｂ）によって水晶片２を固着し、カバー３を被せて密閉封入する。
【００２０】
ここでは、水晶端子４の設けられる容器本体１の一端部両側には穴９が設けられる。例えばセラミックの積層数を増やして形成される。穴９の内底面には水晶端子４としての金属膜が形成され、内壁面はセラミック生地を露出する。
【００２１】
そして、先ず、下塗用性接着剤７ａを各穴９に充填し、表面張力によって穴９の界面上から中央部分を突出させる。但し、接着剤の壁面側は界面内にする。次に、前述同様に水晶片２の引出電極６の延出した一端部両側の角部を下塗りの導電性接着剤の中心に一致させて上に載置する。
【００２２】
この場合、水晶片２の上面から押圧し、下塗用接着剤７ａの中央部分を平坦にして接合面積を大きくする（不図示）。次に、上塗りの導電性接着剤７ｂを水晶片２の各角部を中心として塗布する。最後に、下塗り及び上塗りの導電性接着剤を加熱硬化する。
【００２３】
このような構成であれば、下塗りの導電性接着剤は、穴９によって位置精度が高められてばらつきもなくて平面視塗布面積もほぼ一定になる。そして、下塗用接着剤７ａとの接合面積が増加する。したがって、容器本体１の凹部底面に対する固着強度を高められる。
【００２４】
また、下塗用接着剤７ａは一定面積及び量が確保されているので、上塗用接着剤７ｂは角部の中心をずれたとしても、下塗用接着剤７ａに引き込まれて水晶片２の辺縁部（稜線部）に流出することを防止する。ここでは、下塗用接着剤７ａの壁面側は穴９の界面内として空間部を設けているので流出をさらに防止する。したがって、保持系に起因した振動特性、特に三次特性の周波数温度特性を良好に維持する（前第３図の曲線イ）。
【００２５】
そして、この例では、穴９の内壁面はセラミック生地を露出したので、下塗用接着剤７ａとの接合強度を高められる。なお、セラミック自体はポーラスで、水晶端子４（金属Ａu）よりも面が粗いことから接着強度が高くなる。
【００２６】
（他の事項）上記実施例では容器本体１の内底面は平坦としたが、例えば一端部に設けられた段部の両側に穴９を設けて水晶片２を固着してもよい。この場合、内底面には発振回路を集積化したＩＣチップを収容して表面実装発振器をも構成できる。但し、水晶端子４はＩＣチップと電気的に接続し、外部端子は電源、アース、出力等になる。
【００２７】
また、水晶片２は一端部両側を固着（保持）したが、両端部に引出電極６を延出して同部を保持する場合でも同様に適用できる。そして、水晶片２は凹状とした容器本体１の内底面に穴９を設けて固着したが、容器本体１は水晶片２の搭載（固着）される基板であればよい。
【図面の簡単な説明】
【００２８】
【図１】本発明の一実施例を説明する図で、同図（ａ）は表面実装振動子の断面図、同図（ｂ）は同一部拡大断面図である。
【図２】従来例を説明する図で、同図（ａ）は表面実装振動子の断面図、同図（ｂ）はカバーを除く一部平面図である。
【図３】従来例を説明する水晶振動子の周波数温度特性図である。
【符号の説明】
【００２９】
１  容器本体、２  水晶片、３  カバー、４  水晶端子、５  励振電極、６  引出電極、７ａ  下塗用接着剤、７ｂ  上塗用接着剤、８  枕、９  穴。
【図１】
2005223755.tif 000003
【図２】
2005223755.tif 000004
【図３】
2005223755.tif 000005